(57)【要約】【課題】チャートに入射される光の光量ムラを十分に低減できるレンズ測定装置を提供すること。【解決手段】光源部６３から光を積分球２４に入射して拡散させ、その拡散された光をチャート２３に入射して光像を形成し、その光像をレンズ１に入射しそのレンズ１により結像された光像をカメラ２６により撮像し、そのカメラ２６により撮像された画像に基づいてレンズ１のＭＴＦを測定する。チャート２３に入射される光の拡散手段として積分球２４を用いることにより、光量ムラの少ない光をチャートに入射してＭＴＦの測定が行え、測定精度の向上が図れる。【選択図】図１
2007315961.tif 000002
【特許請求の範囲】
【請求項１】
光源の光を拡散手段に入射して拡散させ、その拡散された光をチャートに入射して光像を形成し、その光像をレンズに入射しそのレンズにより結像された光像を撮像手段により撮像し、その撮像手段により撮像された画像に基づいて前記レンズのＭＴＦを測定するレンズ測定装置において、
前記拡散手段は、入射した光を内壁に形成される拡散面で複数回反射させて出射する積分球であること、
を特徴とするレンズ測定装置。
【請求項２】
前記撮像手段は、複数設けられ、前記レンズの光軸上の位置と光軸外の位置に対応する光像をそれぞれ撮像するものであり、
前記レンズの光軸上の位置と光軸外の位置に対応する光像の撮像画像に基づいて前記レンズにおける光軸上の位置及び光軸外の位置のＭＴＦを測定可能としたこと、
を特徴とする請求項１に記載のレンズ測定装置。
【請求項３】
前記光源は、前記積分球に対し異なる位置から複数の光を入射するものであることを特徴とする請求項１又は２に記載のレンズ測定装置。
【発明の詳細な説明】
【技術分野】
【０００１】
本発明は、レンズの光学特性を測定するレンズ測定装置に関するものである。
【背景技術】
【０００２】
従来、レンズの光学特性を測定するレンズ測定装置として、例えば、特開平６−１７４５８８号公報に記載されるように、光源の光をファイバを通じて導光し、ファイバから出射される光を拡散板に入射して拡散させ、拡散された光をチャートに入射してスリット像を形成し、そのスリット像を被検レンズにより撮像手段に結像し、その撮像手段により撮像された画像に基づいて被検レンズのＭＴＦを測定する装置が知られている。この装置は、光源の光を導光するファイバとして複数分岐したものを用い、チャートに対する光の照射ムラを抑制しようとするものである。
【特許文献１】特開平６−１７４５８８号公報
【発明の開示】
【発明が解決しようとする課題】
【０００３】
しかしながら、このような装置にあっても、チャートに対する光の照射ムラが十分に低減できず、精度良くレンズの光学特性を測定できないという問題点がある。すなわち、複数のファイバにより光を照射する場合であっても、各ファイバの出射部における中央位置とその周辺位置では、光量の差が生ずるため、出射する光の光量ムラが生ずることとなる。
【０００４】
そこで本発明は、このような技術課題を解決するためになされたものであって、チャートに入射される光の光量ムラを十分に低減できるレンズ測定装置を提供することを目的とする。
【課題を解決するための手段】
【０００５】
すなわち、本発明に係るレンズ測定装置は、光源の光を拡散手段に入射して拡散させ、その拡散された光をチャートに入射して光像を形成し、その光像をレンズに入射しそのレンズにより結像された光像を撮像手段により撮像し、その撮像手段により撮像された画像に基づいて前記レンズのＭＴＦを測定するレンズ測定装置であって、前記拡散手段は、入射した光を内壁に形成される拡散面で複数回反射させて出射する積分球であることを特徴とする。
【０００６】
この発明によれば、チャートに入射される光の拡散手段として積分球を用いることにより、光量ムラの少ない光をチャートに入射してＭＴＦの測定が行える。これにより、精度よくＭＴＦの測定を行うことができる。
【０００７】
また本発明に係るレンズ測定装置は、前記撮像手段は、複数設けられ、前記レンズの光軸上の位置と光軸外の位置に対応する光像をそれぞれ撮像するものであり、前記レンズの光軸上の位置と光軸外の位置に対応する光像の撮像画像に基づいて前記レンズにおける光軸上の位置及び光軸外の位置のＭＴＦを測定可能としたことを特徴とする。
【０００８】
この発明によれば、レンズの光軸上の位置と光軸外の位置におけるＭＴＦを測定するものであるため、積分球により光量ムラの少ない光をチャートに入射することにより、レンズの光軸上の位置と光軸外の位置のＭＴＦ測定において良好な測定値を得ることができる。
【０００９】
また本発明に係るレンズ測定装置において、前記光源は、前記積分球に対し異なる位置から複数の光を入射するものであることが好ましい。
【００１０】
この発明によれば、積分球に対し異なる位置から複数の光を入射することにより、積分球から光量ムラのより少ない光を出射させることができる。
【発明の効果】
【００１１】
本発明によれば、チャートに入射される光の拡散手段として積分球を用いることにより、光量ムラの少ない光をチャートに入射してＭＴＦの測定が行え、精度よくＭＴＦを測定することができる。
【発明を実施するための最良の形態】
【００１２】
以下、添付図面を参照して本発明の実施の形態を詳細に説明する。なお、図面の説明において同一の要素には同一の符号を付し、重複する説明を省略する。また、各図における部材や部材に形成される部分の構成比率は説明のものと必ずしも一致していない。
【００１３】
図１は、本発明の実施形態に係るレンズ測定装置の構成概要図である。本実施形態に係るレンズ測定装置は、レンズ１の光学特性を測定する装置であり、例えばＭＴＦ（Modulation Transfer Function）の測定に用いられる。レンズ測定装置は、測定部２、解析制御部３、モニタ４、判定部５及び電源部６を備えて構成されている。測定部２は、レンズ１の光学特性を測定するものである。測定部２及び電源部６は、装置本体を構成するものであり、例えばそれぞれ別個の筐体２１、６１に各構成部品を収容している。電源部６は、装置構成部品に対し電力供給を行う電源６６を収容した電装部として機能するものである。
【００１４】
測定部２は、電源部６上に防振ゴム６２を介して載置されている。防振ゴム６２は、電源部６で生ずる振動が測定部２へ伝達しないように振動伝達を抑制する防振部材である。この防振ゴム６２としては、板状のものを用いる場合もあるが、十分に振動伝達を抑制するためにブロック状のものを用いることが好ましい。また、防振ゴム６２としては、測定部２を複数位置で支持するように設置される。例えば、測定部２の底面を四点で支持するものとされる。
【００１５】
また、電源部６で生ずる振動が測定部２へ伝達しないように振動伝達を抑制できるものであれば、防振ゴム６２に代えてゴム以外の部材により構成される防振部材を用いる場合もある。
【００１６】
このように、電源部６上に防振ゴム６２を介して測定部２を載置することにより、電源部６で生ずる振動が測定部２に伝達されることを防止することができる。このため、装置外部の振動のみならず、装置内部で生ずる振動の影響を低減してレンズ１の光学特性を正確に測定することができる。また、電源部６と測定部２を個別に設けずに電源部６と測定部２を組み合わせて構成できるため、装置をコンパクトに構成することができる。
【００１７】
測定対象物であるレンズ１は、トレー７に保持されて測定される。トレー７は、レンズ１を保持する保持具であって、レンズ１に光を透過できるように支持する構造となっている。トレー７は、複数のレンズ１を一度に収容できるものを用いることが好ましい。測定部２には、トレー７を載置するＸＹステージ２２が設けられている。ＸＹステージ２２は、トレー７を載置させ、トレー７をＸ方向である左右方向とＹ方向である前後方向に移動可能に構成され、そのトレー７の移動によって測定対象となるレンズ１を移動させる。ＸＹステージ２２としては、トレー７をＸ方向及びＹ方向に移動可能なものであればいずれのものを用いてもよい。
【００１８】
ＸＹステージ２２には、トレー７に保持されるレンズ１の種類を検出する検出部２２ａが設けられている。検出部２２ａは、トレー７に設けられる識別部７１の情報に基づいてトレー７が保持するレンズ１の種類を検出する。また、検出部２２ａは、トレー７に設けられる識別部７１の情報に基づいてトレー７の識別番号を検出する。トレー７の識別番号は、同じ種類のトレー７を個々に識別するための番号であり、トレー７ごとに異なる識別番号が割り当てられている。このトレー７の識別番号としては、連続したシリアル番号を割り当てることが好ましい。
【００１９】
測定部２には、チャート２３が配置されている。チャート２３は、レンズ１に入力する入力像を形成するものであり、積分球２４とレンズ１との間に配される。この測定部２は、逆投影によりレンズ１の光学特性を測定するものである。すなわち、レンズ１に対し光像を投影するチャート２３がレンズ１の焦点位置に配置される。
【００２０】
チャート２３は、Ｚステージ２５に取り付けられている。Ｚステージ２５は、チャート２３をＺ方向である上下方向に移動可能に構成され、チャート２３をレンズ１に対して任意に接近及び離間させる。これにより、レンズ１に対するチャート２３の位置調整を行うことができる。Ｚステージ２５としては、チャート２３をＺ方向に移動可能なものであればいずれのものを用いてもよい。
【００２１】
測定部２には、積分球２４が設置されている。積分球２４は、チャート２３に向けて拡散した入力光を入射する拡散手段として機能するものであり、例えばチャート２３の下方位置に取り付けられている。積分球２４は、出力口２４ａを有し、球状に形成される内壁を拡散面２４ｂとした球体により構成されている。拡散面２４ｂは、入射する光を拡散させて反射する面とされ、例えば粉末体を付着させて形成される。
【００２２】
積分球２４には、光源部６３で発せられる光がライトガイド６８を通じて入射される。積分球２４に入射された光は、積分球２４の内部で複数回反射され、出力口２４ａから光量ムラのごく少ない光となって出力される。
【００２３】
測定部２には、カメラ２６が設置されている。カメラ２６は、レンズ１から出力される出力像を受像する撮像手段である。カメラ２６としては、例えばＣＣＤ（Charge Coupled Device）などの固体撮像素子を備えたものが用いられる。レンズ１の出力像は、レンズ１に入力されるチャート２３の入力像がレンズ１によってカメラ２６に結像される像である。
【００２４】
カメラ２６としては、レンズ１の異なる箇所の光学特性を検出するために複数のものを用いることが好ましい。このカメラ２６は、例えば９つ設置される。この場合、左右方向及び前後方向に３つずつ配列される。これにより、レンズ１の前後左右の９箇所における光学特性を測定することができる。カメラ２６の受像信号は、解析制御部３に入力される。
【００２５】
電源部６には、光源部６３が設置されている。光源部６３は、積分球２４に入力する光を発光する光源であり、例えばハロゲンランプを備えたものが用いられる。光源部６３から出力された光はライトガイド６８を通じて積分球２４に入力される。また、電源部６には、駆動部６４が設置されている。駆動部６４は、ＸＹステージ２２及びＺステージ２５の駆動制御を行うものである。この駆動部６４は、例えばＸＹステージ２２及びＺステージ２５がパルスモータの駆動により作動する場合、パルスモータコントローラにより構成される。駆動部６４は、解析制御部３から出力される制御信号に従ってＸＹステージ２２及びＺステージ２５に駆動信号を出力する。
【００２６】
また、電源部６には、制御部６５が設置されている。制御部６５は、主に光源部６３の発光制御を行うものである。また、制御部６５は、ＸＹステージ２２の検出部２２ａの検出信号を入力し、その検出信号を解析制御部３へ出力する。また、電源部６には、電源６６が設置されている。電源６６は、光源部６３、駆動部６４及び制御部６５の電力供給源となるものである。また、電源部６には、ファン６７が設置されている。ファン６７は、電源部６内の熱を排出して冷却する冷却手段として機能するものであり、例えば回転羽根を備えたものが用いられる。
【００２７】
解析制御部３は、装置全体の制御を行うものであり、例えばＣＰＵ、ＲＯＭ、ＲＡＭを含むコンピュータを主体として構成されている。この解析制御部３としては、例えばパーソナルコンピュータの本体部が用いられる。解析制御部３は、測定部２に装着されたトレー７の情報に基づいて測定するレンズ１の種類を認識し、そのレンズ１の種類に応じたレンズ光学特性の測定の設定を行う測定設定手段として機能する。また、解析制御部３は、カメラ２６の受像信号を入力し、その受像信号に基づいてレンズ１のＭＴＦなどの光学特性を解析する解析手段として機能する。
【００２８】
モニタ４は、解析制御部３に接続され、レンズ１の光学特性の測定結果などを表示する表示手段として機能するものである。また、モニタ４により、レンズ１を測定する際の測定設定の表示も行われる。
【００２９】
判定部５は、トレー７に保持されたレンズ１の測定結果を判定するものである。判定部５は、トレー７を載置可能に構成され、載置したトレー７を認識する認識部５１、測定結果ＮＧとなったレンズ１を表示する表示部５２を備えている。判定部５は、解析制御部３と接続され、トレー７の検出情報及びレンズ１の測定結果情報を取得可能となっている。
【００３０】
判定部５に測定済みのトレー７を載置すると、認識部５１がトレー７の識別部７１に基づいてトレー７を認識する。そして、このトレー７に保持される各レンズ１の測定結果を解析制御部３から取得して、表示部５２が測定結果ＮＧのレンズ１を特定の色彩で表示する。例えば、表示部５２は、トレー７の各レンズ１の配置位置に対応して複数の発光体が配設されており、ＮＧとなったレンズ１に対応する発光体を赤く発光させる。これにより、装置の操作者は、複数保持されるレンズ１の中から測定結果ＮＧとなったレンズ１を容易に判定でき、そのＮＧのレンズ１をトレー７上から取り除くことができる。
【００３１】
図２にトレー７の平面図を示す。図３は、図２のIII−IIIにおけるトレー７の断面図である。図４は、図２のIV−IVから見たトレー７の側面図である。
【００３２】
図２、３に示すように、トレー７には、複数のレンズ１を保持する保持部７２が形成されている。保持部７２は、例えばトレー７の上面を下方に窪ませてレンズ１を収容可能に構成される。保持部７２には、底部を貫通して形成される貫通孔７３が設けられている。貫通孔７３は、レンズ測定時に入力像を透過させるための孔である。保持部７２は、縦横に配列して形成され、例えば６個×６個に配列され、トレー７上に３６個形成される。
【００３３】
図４に示すように、トレー７には、識別部７１が設けられている。識別部７１は、トレー７の種類及び識別番号を示すものであって、例えば、複数の凹凸部７１ａを組み合わせたものが用いられる。識別部７１は、下方側に対し凹凸するＮ個の凹凸部７１ａを並設して構成され、凹凸部７１ａの凹凸を設定してＮビットの情報を構築することができる。そして、このＮビットの情報に応じてトレー７の種類及びトレー７の識別番号を設定することにより、Ｎビットの情報に基づいてトレー７の種類及びトレー７の識別番号を認識することが可能となる。識別部７１には、例えば七つの凹凸部７１ａが形成され、７ビットの情報を有するものとされる。
【００３４】
トレー７の識別部７１に基づいてトレー７の種類及びトレー７の識別番号を検出する検出部２２ａとしては、例えば凹凸部７１ａの凹凸に応じてオンオフするスイッチを備えたものが用いられる。検出部２２ａは、スイッチのオンオフ状態に応じてトレー７の識別部７１における凹凸部７１ａの凹凸状態を検知し、その凹凸状態に基づいてトレー７の種類、即ちトレー７に保持されるレンズ１の種類及びトレー７の識別番号を検出する。また、判定部５の認識部５１も、検出部２２ａと同様なものが用いて構成すればよい。
【００３５】
なお、この検出部２２ａ及び認識部５１は、トレー７の情報を読み取れるものであれば、上述したもの以外のものでもよく、例えばトレー７にバーコードを付し、そのバーコードを読み取ってトレー７の情報を検出するものであってもよい。
【００３６】
図５は、チャート２３の平面図である。
【００３７】
図５に示すように、チャート２３は、スリット２３ａを形成した部分のみ光の透過を許容し、その他の部分の光の透過を遮断する板体により構成される。スリット２３ａは、例えば中央位置の測定点Ｐ１とその周囲に放射状に配置された複数の測定点Ｐ２〜Ｐ９が十字状に開口するように形成されている。また、測定点Ｐ１〜Ｐ９を縦３つ横３つに配列して形成してもよい。各測定点Ｐ１〜Ｐ９において、スリット２３ａに十字状に形成しておくことが好ましい。このようにスリット２３ａに複数の測定点Ｐ１〜Ｐ９を設けることにより、レンズ１の各部の光学特性を個別に測定することができ、レンズ１の光学特性を精密に測定することができる。
【００３８】
次に、本実施形態に係るレンズ測定装置の基本動作について説明する。
【００３９】
図６は、本実施形態に係るレンズ測定装置の基本動作を示すフローチャートである。図６における制御処理は、主に解析制御部３によって実行される。図６のＳ１０に示すように、まず、トレー７が測定部２の測定位置に装着されたか否かが判断される。この判断処理は、例えばＸＹステージ２２の検出部２２ａの検出信号に基づいて行えばよい。Ｓ１０にて、トレー７が測定部２の測定位置に装着されたと判断されたときには、トレー識別情報の読み込み処理が行われる（Ｓ１２）。
【００４０】
このトレー識別情報の読み込み処理は、検出部２２ａの検出信号に基づいて行われる。すなわち、検出部２２ａの検出信号に含まれる７ビットの情報に基づいてトレー７の種類及びトレー７の識別番号が検出され、そのトレー７の種類、そのトレー７に保持されるレンズ１の種類及びトレー７の識別番号がそれぞれ読み込まれる。
【００４１】
そして、Ｓ１４に移行し、測定設定処理が行われる。この測定設定処理は、レンズ１の光学特性の測定に際し、その測定系の設定を行う処理である。例えば、測定設定として、レンズ１の焦点距離に対応してチャート２３の位置設定が行われる。レンズ１の種類に応じて解析制御部３から駆動部６４に駆動制御信号が出力され、駆動部６４の駆動信号を受けてＺステージ２５が作動し、チャート２３のＺ方向の位置設定が行われる。このような測定設定により、装置の操作者がレンズ１の種類に応じて測定設定を行う必要がなく、測定作業が円滑に行える。また、誤って測定設定が行われることを防止できる。
【００４２】
また、測定設定として、トレー７のレンズ１保持位置に対応してＸＹステージ２２の移動設定プログラムの読み込みが行われる。また、測定設定として、レンズ１の種類に応じて積分球２４から出力される光の光量を設定する場合もある。
【００４３】
そして、Ｓ１６に移行し、測定開始ボタンがオンとなったか否かが判断される。図示しない測定開始ボタンを装置の操作者が押下した場合、測定開始ボタンがオンとなったと判断される。測定開始ボタンがオンとなったと判断された場合には、測定処理が行われる（Ｓ１８）。
【００４４】
測定処理は、測定すべきレンズ１がチャート２３の真上に来るようにＸＹステージ２２を動作させ、積分球２４から光を出力させ、レンズ１から出力される光像を撮像したカメラ２６の撮像画像に基づいてレンズ１の光学特性を解析して行われる。
【００４５】
光源部６３から出射された光は、ライトガイド６８を導光して積分球２４に入射される。そして、積分球２４に入射された光は、内壁の拡散面２４ｂで複数回反射されて出力口２４ａから出射される。このとき、積分球２４から出射される光は光量ムラの少ない均一な光となっている。積分球２４から出射された光は、チャート２３のスリット２３ａを透過してレンズ１に入射される。そして、レンズ１から出力されるスリット２３ａの光像は、カメラ２６に撮像される。その際、スリット２３ａの測定点Ｐ１〜Ｐ９に対しそれぞれ割り当てられたカメラ２６がそれらの測定点Ｐ１〜Ｐ９における光像を撮像する。
【００４６】
レンズ１の光学特性としては、ＭＴＦが測定される。ＭＴＦは、例えばスリット２３ａの光像画像の線像強度分布を求め、それをフーリエ変換して算出される。このＭＴＦは、測定点Ｐ１〜Ｐ９ごとに算出される。また、図７に示すような空間周波数に対するＭＴＦの光学特性や図８に示すようなデフォーカスに対するＭＴＦの光学特性が算出される。また、レンズ１の光学特性としては、レンズ１の焦点距離、焦点深度、偏芯状態などが測定される。これらの光学特性は、ＭＴＦと同様に、測定点Ｐ１〜Ｐ９ごとに測定することが好ましい。
【００４７】
そして、図６のＳ２０に移行し、測定結果判断処理が行われる。この測定結果判断処理は、測定したレンズ１の光学特性が予め設定される許容範囲内の特性になっているか否かを判断する処理である。例えばレンズ１のＭＴＦ値が許容範囲内の値になっているか否かが判断される。レンズ１のＭＴＦ値が許容範囲内の値になっていない場合には、そのレンズ１はＮＧレンズとして処理される。
【００４８】
そして、Ｓ２２に移行し、測定したレンズ１の光学特性がＮＧであるか否かが判断される。測定したレンズ１の光学特性が許容範囲内にない場合には、レンズ１がＮＧであると判断され、ＮＧカウントアップ処理が行われる（Ｓ２４）。ＮＧカウントアップ処理は、ＮＧとなったレンズ１のトレー７上のレンズ保持位置（保持部７２）に対するカウント値がインクリメントされる。このカウント値は、トレー７ごとのレンズ保持位置に対しそれぞれ設定され、それぞれのレンズ保持位置におけるＮＧ回数を示している。
【００４９】
そして、Ｓ２６に移行し、結果表示処理が行われる。結果表示処理は、測定したレンズ１がＮＧであることをモニタ４に表示する処理である。例えば、図９に示すように、ＮＧ表示４１が画像表示される。この表示を操作者が見ることにより、トレー７上のレンズ１のいずれかが光学特性の基準値を満たさないものがあることを容易に知ることができる。
【００５０】
また、その際、レンズ１がどのようなＮＧであったかをＮＧ内容ごとに異なる色彩で表示することが好ましい。例えば、図９に示すように、トレー７のレンズ保持位置（保持部７２の形成位置）に対応したトレー表示４２が表示され、縦Ａ〜Ｆ、横１〜６としてＡ１、Ｂ２というように座標値でレンズ保持位置が特定できるように表示される。このトレー表示４２において、例えば、ＭＴＦが許容範囲外でＮＧの場合にはそのＮＧのレンズ１の位置が赤色に表示され、ＦＦＬがＮＧの場合には茶色に表示され、偏芯がＮＧの場合にはオンレジ色に表示され、焦点深度がＮＧの場合にはピンク色に表示される。
【００５１】
このようにＮＧ内容ごとに異なる色彩で表示することにより、レンズ１の光学特性がどの項目のＮＧであるのか容易に認識することができる。また、ＮＧの色彩を他の者に知らせることにより、レンズ１のＮＧ内容の情報を容易に伝達することができる。特に装置の操作者が使用言語の異なる者にＮＧ内容を伝える場合に、そのＮＧ内容を容易に伝えることができる。
【００５２】
一方、図６のＳ２２にて、測定したレンズ１の光学特性がＮＧでないと判断された場合には、測定結果処理が行われる（Ｓ２８）。この結果表示処理は、測定したレンズ１がＮＧでなくＯＫであることをモニタ４に表示する処理である。例えば、図１０に示すように、ＯＫ表示４３が画像表示される。この表示を操作者が見ることにより、トレー７上のレンズ１の全てが光学特性の基準値を満たしていることを容易に知ることができる。なお、測定したレンズ１がＮＧでなく、かつＯＫでもなく、判断保留の場合には、「保留」を表示する場合もある。
【００５３】
そして、Ｓ３０に移行し、トレー７上の全てのレンズ１の測定が終了した否かが判断される。例えば、トレー７の位置をＸＹステージ２２を作動させることにより移動させて、トレー７上のレンズ１を端から順次測定していく場合、トレー７上の全てのレンズ１が測定し終えたか否かが判断される。トレー７上の全てのレンズ１が測定し終えていない場合には、Ｓ１８に戻る。
【００５４】
一方、Ｓ３０にてトレー７上の全てのレンズ１が測定し終えたと判断された場合には、警告処理が行われる（Ｓ３２）。警告処理は、Ｓ２４にてカウントアップしたＮＧカウンタ値が設定値以上となった場合に、レンズ測定系に異常があるおそれがあることを警告する処理である。例えば、同じ識別番号のトレー７における特定のレンズ保持位置のＮＧが連続してｎ回ＮＧである場合には、トレー７に異常があることが警告される。この場合、ｍ回測定でｎ回ＮＧである場合に警告してもよい。警告の仕方は、モニタ４への画像表示、音声の出力、ランプ等の発光部材の発光などによって行われる。一方、Ｓ２４にてカウントアップしたＮＧカウンタ値が設定値以上となっていない場合には、警告処理においてレンズ測定系の異常を警告する処理は行われない。この警告処理を終えたら、制御処理を終了する。
【００５５】
以上のように、本実施形態に係るレンズ測定装置によれば、チャート２３に入射される光の拡散手段として積分球２４を用いることにより、光量ムラの少ない光をチャート２３に入射してＭＴＦの測定が行える。これにより、精度よくＭＴＦの測定を行うことができる。
【００５６】
また、レンズ１の光軸上の位置と光軸外の位置におけるＭＴＦを測定する場合、積分球２４により光量ムラの少ない光をチャート２３に入射することにより、レンズ１の光軸上の位置と光軸外の位置のＭＴＦ測定において良好な測定値を得ることができ、特に有用である。
【００５７】
また、上述した実施形態に係るレンズ測定装置では、積分球２４に対し一つのライトガイド６８により光を入射しているが、積分球２４に対し異なる位置から複数の光を入射することが好ましい。例えば、図１１に示すように、積分球２４に二つのライトガイド６８、６８を接続し、積分球２４に対し異なる位置から光を入射する構造とされる。これにより、積分球２４に対し異なる位置から入射される光が増え、積分球２４から光量ムラのより少ない光を出射させることができる。従って、レンズ１の複数箇所のＭＴＦ測定がより適切に行える。
【００５８】
なお、上述した実施形態に係るレンズ測定装置は、本発明に係るレンズ測定装置の一例を示すものである。本発明に係るレンズ測定装置は、これらの実施形態に係るレンズ測定装置に限られるものではなく、各請求項に記載した要旨を変更しない範囲で、実施形態に係るレンズ測定装置を変形し、又は他のものに適用したものであってもよい。
【図面の簡単な説明】
【００５９】
【図１】本発明の実施形態に係るレンズ測定装置の構成概要図である。
【図２】図１におけるレンズ測定装置に用いられるトレーの平面図である。
【図３】図２のIII−IIIにおけるトレーの断面図である。
【図４】図２のIV−IVから見たトレーの側面図である。
【図５】図１におけるレンズ測定装置に用いられるチャートの説明図である。
【図６】図１のレンズ測定装置の基本動作を示すフローチャートである。
【図７】図１のレンズ測定装置における測定結果の説明図である。
【図８】図１のレンズ測定装置における測定結果の説明図である。
【図９】図１のレンズ測定装置における測定結果表示の説明図である。
【図１０】図１のレンズ測定装置における測定結果表示の説明図である。
【図１１】図１のレンズ測定装置における変形例の説明図である。
【符号の説明】
【００６０】
１…レンズ、２…測定部、３…解析制御部、４…モニタ、５…判定部、６…電源部、７…トレー、２３…チャート、２４…積分球、２６…カメラ、６２…防振ゴム。
【図１】
2007315961.tif 000003
【図２】
2007315961.tif 000004
【図３】
2007315961.tif 000005
【図４】
2007315961.tif 000006
【図５】
2007315961.tif 000007
【図６】
2007315961.tif 000008
【図７】
2007315961.tif 000009
【図８】
2007315961.tif 000010
【図９】
2007315961.tif 000011
【図１０】
2007315961.tif 000012
【図１１】
2007315961.tif 000013